(57)【要約】【課題】入山者の行動の履歴と、入山者が提供する口コミ情報とを一括して管理する。【解決手段】入山者行動履歴管理ＤＢ１５０は、入山者の行動履歴が蓄積される入山者情報を記憶する入山者情報テーブルと、入山者からの口コミ情報を記憶する口コミ情報テーブルとを有する。入山者行動履歴管理装置１４０は、携帯端末１１０から受信した位置情報に含まれる時刻と位置とを入山者情報テーブルの入山者情報に蓄積し、携帯端末１１０または端末１２０から受信した口コミを時刻および位置とともに口コミ情報テーブルに蓄積する。そして、入山者行動履歴管理装置１４０は、入山者情報テーブルの入山者情報に含まれる行動履歴を携帯端末１１０または端末１２０に送信し、行動履歴中の時刻と位置が指定されると、その時刻近くにその位置近くにいた他の入山者の位置と、その時刻近くにその位置近くで登録された口コミ情報とを携帯端末１１０または端末１２０に送信する。【選択図】図１
2015035008.tif 000002
【特許請求の範囲】
【請求項１】
時刻と当該時刻における入山者の位置との履歴である行動履歴が蓄積される入山者情報を記憶する入山者情報記憶手段と、
入山者によって登録される口コミと当該口コミが取得された時刻および位置とを含む口コミ情報を記憶する口コミ情報記憶手段と、
携帯端末から時刻と位置とを含む位置情報を受信する位置情報受信手段と、
前記位置情報受信手段によって受信された位置情報に含まれる時刻および位置を前記入山者情報記憶手段に記憶されている入山者情報に蓄積する行動履歴蓄積手段と、
携帯端末または端末から前記口コミを受信する口コミ受信手段と、
前記口コミ受信手段によって受信された口コミと、前記口コミが受信された時刻および位置を含む口コミ情報を前記口コミ情報記憶手段に蓄積する口コミ情報蓄積手段と、
入山者を特定するための入山者特定情報を含む行動履歴検索要求を携帯端末または端末から受信すると、当該行動履歴検索要求に含まれる入山者特定情報に基づいて前記入山者情報記憶手段に記憶されている入山者情報を検索して当該入山者特定情報で特定される入山者の行動履歴を取得し、取得された当該行動履歴を携帯端末または端末に送信する入山者行動履歴送信手段と、
前記入山者行動履歴送信手段によって送信された行動履歴を受信した携帯端末または端末から当該行動履歴に含まれる入山者の時刻および／または位置の指定を含む入山者関連情報検索要求を受信すると、当該入山者関連情報検索要求に含まれる時刻および位置に基づいて前記入山者情報記憶手段に記憶されている入山者情報と前記口コミ情報記憶手段に記憶されている口コミ情報を検索し、当該指定された時刻に近い時刻に当該指定された位置の近くにいた他の入山者を示す情報と、当該指定された時刻に近い時刻に当該指定された位置の近くで登録された口コミ情報とを取得し、取得された当該他の入山者を示す情報と当該口コミ情報とを携帯端末または端末に送信する入山者関連情報送信手段と、
を備えることを特徴とする入山者行動履歴管理システム。
【請求項２】
前記入山者情報が、入山者によって登録された行動予定を含み、
前記入山者情報に含まれる行動履歴が、入山者の入山中または下山を示す情報を含み、
前記行動予定を含む入山者情報を前記入山者情報記憶手段に登録する入山者情報登録手段と、
前記入山者情報記憶手段に記憶されている入山者情報に含まれる行動予定で指定されている下山予定時刻を経過しても前記行動履歴の情報が入山中である場合に、入山者の所有する携帯端末に下山しているか否かを確認する下山確認メッセージを送信する下山確認メッセージ送信手段と、
を備える、
ことを特徴とする請求項１に記載の入山者行動履歴管理システム。
【請求項３】
前記入山者情報が、入山者によって登録された行動予定を含み、
前記行動予定を含む入山者情報を前記入山者情報記憶手段に登録する入山者情報登録手段と、
山小屋の宿泊予約を示す宿泊予約情報と当該山小屋の実際の宿泊状況とを含む山小屋宿泊情報を記憶する山小屋宿泊情報記憶手段と、
前記入山者情報記憶手段に記憶されている入山者情報に含まれる行動予定および行動履歴と、前記山小屋宿泊情報記憶手段に記憶されている山小屋宿泊情報に含まれる宿泊予約情報および実際の宿泊状況とに基づいて危険な状況に陥る可能性のある入山者の有無を判定し、危険な状況に陥る可能性のある入山者がいる場合に当該入山者に関する警告メッセージを所定の山岳関係者に送信する事前予測手段と、
を備える、
ことを特徴とする請求項１に記載の入山者行動履歴管理システム。
【請求項４】
山小屋の周辺の状況と混雑状況とを含む山小屋案内情報を記憶する山小屋案内情報記憶手段と、
山岳エリアの天候と登山道の状況とを含むエリア案内情報を記憶するエリア案内情報記憶手段と、
携帯端末または端末から前記山小屋案内情報および／または前記エリア案内情報に含まれる情報を要求されると、前記山小屋案内情報記憶手段および／または前記エリア案内情報記憶手段から当該要求された情報を検索して当該携帯端末または端末に送信する案内情報検索手段と、
を備え、
前記位置情報受信手段が、前記口コミと、前記山小屋案内情報および／または前記エリア案内情報に含まれる情報の要求とを含む各種情報を携帯端末から受信するときに、同時に前記位置情報を受信する、
ことを特徴とする請求項１ないし３のいずれか１項に記載の入山者行動履歴管理システム。
【発明の詳細な説明】
【技術分野】
【０００１】
本発明は、入山者の行動の履歴を管理する入山者行動履歴管理システムに関する。
【背景技術】
【０００２】
近年は、山登りやクライミング、沢登りなど山の中でアクティビティを楽しむ人口が増加している。その人気に伴い、初心者や高齢者による山での遭難や事故も増えている。このような状況を受け、各山域の山岳関係者により登山口や山小屋にて入山者を管理する取り組みが強化されてきている。
【０００３】
従来、入山者（登山者を含む山岳エリアでのアクティビティを行う者）は、登山届（登山計画書、入山届と呼び名はあるが、ここでは一般的な登山届とする）をあらかじめ紙ベースで作成し、主に入山時に登山口にあるポストや案内所に提出する。登山届には、名前、住所、年齢、装備、同行メンバー、行動予定、緊急時の計画、緊急連絡先などが含まれる。また、山小屋や山小屋の管理するテント場に宿泊する際に、入山者は宿泊カードに住所、名前などと一緒に今後の行動予定を記入し提出する。これらの情報を登山口の関係者や宿泊施設関係者は毎日無線や電話、メールでやり取りする。入山中のトラブル発生時には、この登山届の情報が救助隊、捜索隊の初動捜査の重要な手がかりの１つとなる。
【０００４】
また、特許文献１は、セキュリティを向上させ、入山者及び管理者（山岳関係者）双方からの情報発信を容易とするために、入山者が携帯機器を用いて２次元バーコードから取得した位置情報データと機体識別情報データを含む登山届けを管理サーバに送信し、受信した登山届を管理サーバが電子的に管理する入下山届システムを開示する。
【先行技術文献】
【特許文献】
【０００５】
【特許文献１】特開２０１２−１８２６８５号公報
【発明の概要】
【発明が解決しようとする課題】
【０００６】
しかしながら、従来の方法では、トラブルが発生した際に登山口や山小屋を利用した人及び利用したタイミングの情報しか救助や捜索の手がかりがなく、また、山岳関係者がトラブルの発生に気づくのも難しい。
特許文献１に記載の入下山届システムにおいては、登山口は山深い場所にある場合も多く、そのような場所では携帯端末の電波が入らず圏外である場合が多い。このため、携帯端末からの情報送信にのみ依存する登山届の提出方法のみでは十分とは言えない。
【０００７】
本発明は、入山者の行動の履歴と、入山者によって提供される口コミ情報とを一括して管理する入山者行動履歴管理システムを提供することを目的とする。
【課題を解決するための手段】
【０００８】
上述した目的を達成するために、本発明の入山者行動履歴管理システムは、
時刻と当該時刻における入山者の位置との履歴である行動履歴が蓄積される入山者情報を記憶する入山者情報記憶手段と、
入山者によって登録される口コミと当該口コミが取得された時刻および位置とを含む口コミ情報を記憶する口コミ情報記憶手段と、
携帯端末から時刻と位置とを含む位置情報を受信する位置情報受信手段と、
前記位置情報受信手段によって受信された位置情報に含まれる時刻および位置を前記入山者情報記憶手段に記憶されている入山者情報に蓄積する行動履歴蓄積手段と、
携帯端末または端末から前記口コミを受信する口コミ受信手段と、
前記口コミ受信手段によって受信された口コミと、前記口コミが受信された時刻および位置を含む口コミ情報を前記口コミ情報記憶手段に蓄積する口コミ情報蓄積手段と、
入山者を特定するための入山者特定情報を含む行動履歴検索要求を携帯端末または端末から受信すると、当該行動履歴検索要求に含まれる入山者特定情報に基づいて前記入山者情報記憶手段に記憶されている入山者情報を検索して当該入山者特定情報で特定される入山者の行動履歴を取得し、取得された当該行動履歴を携帯端末または端末に送信する入山者行動履歴送信手段と、
前記入山者行動履歴送信手段によって送信された行動履歴を受信した携帯端末または端末から当該行動履歴に含まれる入山者の時刻および／または位置の指定を含む入山者関連情報検索要求を受信すると、当該入山者関連情報検索要求に含まれる時刻および位置に基づいて前記入山者情報記憶手段に記憶されている入山者情報と前記口コミ情報記憶手段に記憶されている口コミ情報を検索し、当該指定された時刻に近い時刻に当該指定された位置の近くにいた他の入山者を示す情報と、当該指定された時刻に近い時刻に当該指定された位置の近くで登録された口コミ情報とを取得し、取得された当該他の入山者を示す情報と当該口コミ情報とを携帯端末または端末に送信する入山者関連情報送信手段と、
を備えることを特徴とする。
【０００９】
好ましくは、本発明の入山者行動履歴管理システムは、
前記入山者情報が、入山者によって登録された行動予定を含み、
前記入山者情報に含まれる行動履歴が、入山者の入山中または下山を示す情報を含み、
前記行動予定を含む入山者情報を前記入山者情報記憶手段に登録する入山者情報登録手段と、
前記入山者情報記憶手段に記憶されている入山者情報に含まれる行動予定で指定されている下山予定時刻を経過しても前記行動履歴の情報が入山中である場合に、入山者の所有する携帯端末に下山しているか否かを確認する下山確認メッセージを送信する下山確認メッセージ送信手段と、
を備える、
ことを特徴とする。
【００１０】
好ましくは、本発明の入山者行動履歴管理システムは、
前記入山者情報が、入山者によって登録された行動予定を含み、
前記行動予定を含む入山者情報を前記入山者情報記憶手段に登録する入山者情報登録手段と、
山小屋の宿泊予約を示す宿泊予約情報と当該山小屋の実際の宿泊状況とを含む山小屋宿泊情報を記憶する山小屋宿泊情報記憶手段と、
前記入山者情報記憶手段に記憶されている入山者情報に含まれる行動予定および行動履歴と、前記山小屋宿泊情報記憶手段に記憶されている山小屋宿泊情報に含まれる宿泊予約情報および実際の宿泊状況とに基づいて危険な状況に陥る可能性のある入山者の有無を判定し、危険な状況に陥る可能性のある入山者がいる場合に当該入山者に関する警告メッセージを所定の山岳関係者に送信する事前予測手段と、
を備える、
ことを特徴とする。
【００１１】
好ましくは、本発明の入山者行動履歴管理システムは、
山小屋の周辺の状況と混雑状況とを含む山小屋案内情報を記憶する山小屋案内情報記憶手段と、
山岳エリアの天候と登山道の状況とを含むエリア案内情報を記憶するエリア案内情報記憶手段と、
携帯端末または端末から前記山小屋案内情報および／または前記エリア案内情報に含まれる情報を要求されると、前記山小屋案内情報記憶手段および／または前記エリア案内情報記憶手段から当該要求された情報を検索して当該携帯端末または端末に送信する案内情報検索手段と、
を備え、
前記位置情報受信手段が、前記口コミと、前記山小屋案内情報および／または前記エリア案内情報に含まれる情報の要求とを含む各種情報を携帯端末から受信するときに、同時に前記位置情報を受信する、
ことを特徴とする。
【発明の効果】
【００１２】
本発明によれば、入山者の行動の履歴と、入山者によって提供される口コミ情報とを一括して管理することができる。
【図面の簡単な説明】
【００１３】
【図１】本発明の実施形態に係る入山者行動履歴管理システムの構成の一例を示す図である。
【図２】入山者行動履歴管理装置の構成の一例を示す図である。
【図３】利用者情報テーブルの構成の一例を示す図である。
【図４】入山者情報テーブルの構成の一例を示す図である。
【図５】登山届情報テーブルの構成の一例を示す図である。
【図６】口コミ情報テーブルの構成の一例を示す図である。
【図７】山小屋宿泊情報テーブルの構成の一例を示す図である。
【図８】山小屋案内情報テーブルの構成の一例を示す図である。
【図９】エリア案内情報テーブルの構成の一例を示す図である。
【図１０】入山予定者が、登山の計画時に、入山者行動履歴管理システムから山岳エリアの情報を取得する処理の一例を示す図である。
【図１１】入山予定者が、登山の計画時に、利用者情報テーブルに利用者情報を登録し、入山者情報テーブルに行動予定を登録し、登山する山岳エリアの情報を取得する処理の一例のフローチャートである。
【図１２】登山口において、登山届を入山者行動履歴管理システムに登録する処理の一例を示す図である。
【図１３】入山者行動履歴管理システムに口コミ情報と山小屋の情報を登録する処理の一例を示す図である。
【図１４】入山者に送信される下山確認メッセージの一例を示す図である。
【図１５】下山確認メッセージ送信処理の一例のフローチャートである。
【図１６】行方不明者の捜索に関わる捜索者が行方不明者の行動履歴を確認する画面の一例を示す図である。
【図１７】行方不明者の捜索に関わる捜索者が口コミ情報と目撃の可能性のある他の入山者の絞り込みを行う画面の一例を示す図である。
【図１８】入山者行動履歴管理システムを用いた捜索処理の一例のフローチャートである。
【図１９】危険な状況に陥る可能性のある入山者を事前に予測するための条件の一例を示す図である。
【図２０】入山者が入山前または入山中に行動予定を入力する行動予定入力画面の一例を示す図である。
【図２１】行動予定入力画面の別の例を示す図である。
【図２２】入山者や入山予定者が携帯端末により山域情報を受け取るための設定画面の一例を示す図である。
【図２３】携帯端末に表示される山域情報の配信画面の一例を示す図である。
【発明を実施するための形態】
【００１４】
以下、本発明の実施形態に係る入山者行動履歴管理システムについて図面を参照しながら説明する。なお、実施形態を説明する全図において、共通の構成要素には同一の符号を付し、繰り返しの説明を省略する。
【００１５】
図１は、本発明の実施形態に係る入山者行動履歴管理システム１６０の構成の一例を示す。
入山者行動履歴管理システム１６０は、入山者行動履歴管理装置１４０と、入山者行動履歴管理データベース（ＤＢ）１５０とを有する。入山者行動履歴管理ＤＢ１５０は入山者行動履歴管理装置１４０に接続されている。入山者行動履歴管理装置１４０は、入山者行動履歴管理ＤＢ１５０に情報を登録し、入山者行動履歴管理ＤＢ１５０に格納されている情報を検索することができる。
入山者行動履歴管理装置１４０はインターネットや無線ネットワーク等の複数のネットワークを含むネットワーク１３０に接続されている。ネットワーク１３０には、また、複数の携帯端末１１０と複数の端末１２０が接続されており、携帯端末１１０と端末１２０は入山者行動履歴管理装置１４０とデータを送受信することができる。
【００１６】
携帯端末１１０は、例えば、スマートフォンや携帯電話、タブレットコンピュータである。入山者が入山中に使用する携帯端末１１０は、ＧＰＳ（Ｇｌｏｂａｌ  Ｐｏｓｉｔｉｏｎｉｎｇ  Ｓｙｓｔｅｍ）機能等を備えており、現在の時刻（日時）と位置（座標）を示す位置情報を取得することができ、入山者行動履歴管理装置１４０にアクセスするたびに入山者行動履歴管理装置１４０に位置情報を送信する。
端末１２０は、例えば、パーソナルコンピュータである。
入山者行動履歴管理装置１４０は、コンピュータであり、ＣＰＵ（Ｃｅｎｔｒａｌ  Ｐｒｏｃｅｓｓｉｎｇ  Ｕｎｉｔ）と、ＲＡＭ（Ｒａｎｄｏｍ  Ａｃｃｅｓｓ  Ｍｅｍｏｒｙ）等で構成される主メモリと、ハードディスク等で構成される記憶装置とを有する。
入山者行動履歴管理装置１４０の記憶装置は、入山者行動履歴管理プログラムとユーザ情報テーブルとを記憶している。
入山者行動履歴管理装置１４０のＣＰＵが入山者行動履歴管理プログラムを記憶装置から主メモリに読み出して実行することにより、図２に示すように、利用者インタフェース部２１０と、データベース登録・更新部２２０と、データベース検索部２３０と、下山確認部２４０と、事前予測部２５０との各部の機能が実現される。なお、各部の詳細については後述する。
入山者行動履歴管理ＤＢ１５０は、図４〜図１０に示すように、入山者情報テーブル３００と、登山届情報テーブル３１０と、口コミ情報テーブル３２０と、山小屋宿泊情報テーブル３３０と、山小屋案内情報テーブル３４０と、エリア案内情報テーブル３５０との各テーブルを格納する。
なお、入山者情報テーブル３００と、登山届情報テーブル３１０と、口コミ情報テーブル３２０と、山小屋宿泊情報テーブル３３０と、山小屋案内情報テーブル３４０と、エリア案内情報テーブル３５０とは入山者行動履歴管理装置１４０の記憶装置に格納されており、入山者行動履歴管理サーバ１４０のＣＰＵがデータベース管理プログラムを実行することによりこれらの情報にアクセスする構成としてもよい。
【００１７】
図３は、利用者情報テーブル２６０の構成の一例を示す。
利用者情報テーブル２６０には利用者情報が格納される。利用者情報は、利用者区分２６１と、ＩＤ（Ｉｄｅｎｔｉｆｉｅｒ）２６２と、メールアドレス２６３と、パスワード２６４と、名前２６５と、生年月日２６６と、管轄エリア２６７とを含む。
利用者区分２６１は、入山者と、指導員または警察署員と、山小屋と、捜索者との各区分を含む。また、利用者区分として、これら以外に管理者という区分が存在する。利用者区分毎に利用者が入山者行動履歴管理ＤＢ１５０に含まれる各情報にアクセスできる権限が異なる。入山者の利用者情報は、後述するように、入山者が登録する。一方、指導員または警察署員と山小屋と捜索者の利用者情報は、入山者行動履歴管理システム１６０の管理者が各利用者の適格を審査し、適格を有する利用者のみを登録する。
ＩＤ２６２は、各利用者を一意に識別する識別情報である。ＩＤ２６２は、各利用者の登録時に利用者インタフェース部２１０によって割り当てられる。
メールアドレス２６３は、各利用者の電子メールの宛先である。メールアドレス２６３は、入山者行動履歴管理装置１４０が各利用者に電子メールを送信するために使用される。
パスワード２６４は、入山者行動履歴管理装置１４０にログインする利用者を認証するために使用される。
名前２６５は、利用者区分２６１が入山者である利用者（以下、入山者という。）の名前または利用者区分２６１が山小屋である利用者（以下、山小屋という。）の名前を示す。利用者区分２６１が指導員または警察署員である利用者（以下、指導員または警察所署という。）および利用者区分２６１が捜索者である利用者（以下、捜索者という。）についてはこれらの各欄は空白である。
生年月日２６６は、入山者の名前と生年月日を示す。指導員または警察署員、山小屋、および捜索者についてはこれらの各欄は空白である。
管轄エリア２６７は、指導員または警察署員、山小屋、および捜索者とが管轄する山岳エリアを示す。入山者の管轄エリア２６７は空白である。
各利用者は、携帯端末１１０または端末１２０から入山者行動履歴管理装置１４０にログインするとき、メールアドレス２６３とパスワード２６４を入力する。利用者インタフェース部２１０はメールアドレス２６３とパスワード２６４によって各利用者を認証する。
また、管理者は入山者行動履歴管理装置１４０が別途備える認証手段によって認証される。管理者は入山者行動履歴管理装置１４０と入山者行動履歴管理ＤＢ１５０が保持する全ての情報にアクセスし、それらを登録、変更、削除、および検索（閲覧）する権限を有する。
【００１８】
図４は、入山者情報テーブル３００の構成の一例を示す。
入山者情報テーブル３００には入山者情報が登録される。入山者情報は、各登山パーティに含まれる入山者の中の代表者（例えば、リーダー）によって入力される。入山者情報は、ＩＤ３０１と、メールアドレス３０２と、名前３０３と、生年月日３０４と、行動予定３０５と、行動履歴３０６とを含む。
ＩＤ３０１には、利用者情報テーブル２６０のＩＤ２６２に登録されている代表者のＩＤが設定される。
メールアドレス３０２と名前３０３と生年月日３０４には、代表者と各同行メンバーのメールアドレスと名前と生年月日とが格納される。代表者のメールアドレス３０２と名前３０３と生年月日３０４には利用者情報テーブル２６０に格納されているメールアドレス２６３と名前２６５と生年月日２６６が設定される。また、同行メンバーのメールアドレス３０２と名前３０２と生年月日３０３は、入山計画を登録するとき代表者が入力する。
行動予定３０５は、日時と場所と目的とを含む。日時は、年月日と時分、すなわち時刻を示す。目的は、例えば、入山、アクティビティの内容、下山等である。行動予定３０５は、後述する入力画面上で代表者が入力する。
行動履歴３０６は、日時と場所または座標（緯度、経度、標高）と端末種別と状態とを含む。日時は、年月日と時分、すなわち時刻を示す。代表者または同行メンバーが位置情報を送信できる携帯端末１１０を用いて入山者行動履歴管理装置１４０にアクセスした場合には、アクセスするたびに携帯端末１１０から日時と座標を含む位置情報が送信されるので、その位置情報に含まれる日時と座標が行動履歴３０６の日時と場所または座標に登録される。代表者または同行メンバーが位置情報を送信できない携帯端末や端末１２０等を用いて入山者行動履歴管理装置１４０にアクセスした場合には、アクセスした時刻および代表者または同行メンバーによって入力された場所の名前が登録される。なお、以下では、座標と場所の名前の両方を含む意味で位置という用語を用いる。同行メンバーがアクセスしたときは、入山者行動履歴管理装置１４０はログイン時に認証のために入力されるメールアドレスによって位置情報を登録すべき登山パーティの行動履歴３０６を識別する。
端末種別には、位置情報を送信できる携帯端末１１０による入山者行動履歴管理装置１４０へのアクセスである場合には「携帯」が設定され、位置情報を送信できない携帯端末や端末１２０等によるアクセスである場合には「その他」が設定される。
状態は、入山前と入山中と下山済を含む。入山前から入山中、および入山中から下山済への変更は代表者が携帯端末１１０や端末１２０等を用いて設定する。
代表者は、自分のＩＤ２６２と一致するＩＤ３０１の入山者情報のみ登録、変更、削除、および検索（閲覧）することができる。同行メンバーは自分のメールアドレス３０２が登録されている入山者情報のみ検索（閲覧）することができる。また、指導員または警察署員、山小屋、および捜索者は全ての入山者情報を検索（閲覧）することができる。
なお、同一の代表者が登山を何回も行う場合、入山者情報テーブル３００にはＩＤ３０１に同一の代表者のＩＤ２６２が設定された入山者情報が登山回数分だけ登録されることとなる。
入山者情報テーブル３００は本発明の入山者情報記憶手段の一例である。
【００１９】
図５は、登山届情報テーブル３１０の構成の一例を示す。
登山届情報テーブル３１０には、入山者によって提出された登山届に記載されている登山届情報が登録される。登山届情報は、指導員または警察署員が携帯端末１１０または端末１２０を用いて登録する。登山届情報は、ＩＤ３１１と、受理日時３１２と、登山届の記載事項３１３と、登山届のイメージデータ３１４と、備考３１５とを含む。
ＩＤ３１１には、利用者情報テーブル２６０のＩＤ２６２に登録されている入山者のＩＤが設定される。
受理日時３１２は、指導員または警察署員が登山届を入山者から受理した日時を示す。
登山届の記載事項３１３には、登山届の記載事項全てが登録される。登山届の記載事項は、例えば、登山届の受け取り場所、受け取り時刻、代表者および同行メンバーの名前と年齢と住所と緊急連絡先、アクティビティの目的、行動予定、装備、食料、非常時のエスケープルート等である。
登山届のイメージデータ３１４には、イメージスキャナ等で読み取られた登山届のイメージデータが格納される。
備考３１５には、登山届を提出した入山者に応対した登山口の指導員や管轄の警察署員により、入山者について気になった印象等が記録される。
登山届情報テーブル３１０の登山届情報は、指導員または警察署員のみが登録、変更、および削除することができる。また、指導員または警察署員、山小屋、および捜索者は全ての登山届情報を検索（閲覧）することができる。
なお、同一の代表者が登山を何回も行った場合、登山届情報テーブル３１０にもＩＤ３１１に同一の代表者のＩＤ２６２が設定された登山届情報が登山回数分だけ格納されることとなる。
【００２０】
図６は、口コミ情報テーブル３２０の構成の一例を示す。
口コミ情報テーブル３２０には口コミ情報が登録される。口コミ情報は、入山者、および山小屋が携帯端末１１０または端末１２０を用いて登録する。口コミ情報は、ＩＤ３２１と、名前３２２と、日時３２３と、場所または座標３２４と、内容３２５、種別３２６とを含む。
ＩＤ３２１と名前３２２には、口コミ情報の提供者のＩＤ２６２と名前２６５が設定される。
日時３２３および場所または座標３２４には、口コミ情報の提供者が位置情報を送信できる携帯端末１１０を用いて口コミ情報を登録した場合には、携帯端末１１０によって送信された位置情報から求められた時刻と座標が登録される。口コミ情報の提供者が位置情報を送信できない携帯端末や端末１２０等を用いて口コミ情報を登録した場合には、その口コミ情報を受信した時刻および提供者によって入力された場所の名前が登録される。
内容３２５には、提供者によって入力された口コミが登録される。
種別３２６は、口コミ情報の種別を示す。種別３２６には、例えば一般／注意・警告／事故の発生の３種類がある。種別３２６は、口コミ情報の提供者によって選択される。なお、注意・警告または事故の発生が選択された場合、入山者行動履歴管理装置１４０は警察署等所定の通知先に口コミ情報の内容３２５を含む電子メールを送信することとしてもよい。
利用者情報テーブル２６０に登録されている全ての利用者は、ＩＤ３２１と名前３２２を除き、全ての口コミ情報を検索（閲覧）することができる。指導員または警察署員、山小屋、および捜索者は、ＩＤ３２１と名前３２２を含め、全ての口コミ情報を検索（閲覧）することができる。
なお、口コミ情報テーブル３２０は本発明の口コミ情報記憶手段の一例である。
【００２１】
図７は、山小屋宿泊情報テーブル３３０の構成の一例を示す。
山小屋宿泊情報テーブル３３０には、山小屋宿泊情報が登録される。山小屋宿泊情報は、ＩＤ３３１と、名前３３２と、位置３３３と、宿泊予約情報３３４と、実際の宿泊状況３３５とを含む。宿泊予約情報３３４と実際の宿泊状況３３５とは登山パーティ（ただし、単独行の場合は個人）毎に登録される。
ＩＤ３３１および名前３３２には、利用者情報テーブル２６０のＩＤ２６２に登録されている山小屋のＩＤおよび名前２６５に登録されている山小屋の名前が設定される。
位置３３３には、その山小屋が位置する場所の名前と座標（緯度、経度、標高）が登録される。
宿泊予約情報３３４には、到着予定時刻、出発予定時刻、登山パーティの人数、代表者および同行メンバーの名前と生年月日等が登録される。
実際の宿泊状況３３５には、到着時刻、出発時刻、登山パーティの人数、代表者および同行メンバーの名前と生年月日、および負傷や装備の状況等の懸念事項が登録される。
各山小屋は、自分の山小屋のＩＤ２６２がＩＤ３３１に設定されている山小屋宿泊情報を登録、変更、削除、および検索（閲覧）することができる。また、指導員または警察署員、山小屋、および捜索者は山小屋宿泊情報テーブル３３０に登録されている全ての山小屋宿泊情報を検索（閲覧）することができる。
なお、山小屋宿泊情報テーブル３３０は本発明の山小屋宿泊情報記憶手段の一例である。
【００２２】
図８は、山小屋案内情報テーブル３４０の構成の一例を示す。
山小屋案内情報テーブル３４０には、山小屋案内情報が登録される。山小屋案内情報は、ＩＤ３４１と、名前３４２と、位置３４３と、周辺状況３４４と、混雑状況３４５とを含む。
ＩＤ３４１と名前３４２と位置３４３には、山小屋宿泊情報テーブル３３０のＩＤ３３１と名前３３２と位置３３３に登録されているものと同一の情報が登録される。
周辺状況３４４には、その山小屋の周辺の天候や、風の強さ、最低気温、最高気温、現在の気温、その山小屋を通過する登山者数等を含む周辺状況が登録される。
混雑状況３４５には、その山小屋で空いている席数、宿泊可能な人数等を含む混雑状況が登録される。
各山小屋は、自分の山小屋のＩＤ２６２がＩＤ３４１に設定されている山小屋案内情報を登録、変更、および削除することができる。また、利用者情報テーブル２６０に登録されている全ての利用者が、全ての山小屋案内情報を検索（閲覧）することができる。
なお、山小屋案内情報テーブル３４０は本発明の山小屋案内情報記憶手段の一例である。
【００２３】
図９は、エリア案内情報テーブル３５０の構成の一例を示す。
エリア案内情報テーブル３５０には、エリア案内情報が登録される。エリア案内情報は、山岳エリア名３５１と、ルート名３５２と、天候３５３と、ルート状況３５４と、林道状況３５５と、アクティビティ状況３５６とを含む。
山岳エリア名３５１には、山岳エリアの名前が登録される。
ルート名３５２には、各登山ルートを識別できる名前が登録される。
天候３５３には、各登山ルート近辺の天気予報、実際の天気、最低気温、最高気温、現在の気温等が格納される。
ルート状況３５４には、各登山ルートに含まれる各登山道が通行止めになっていないか、歩きやすいか、各登山ルートの積雪状況等の情報が格納される。
林道状況３５５には、登山口へアプローチするための林道の混雑状況、通行止めになっていないか等の情報が格納される。
アクティビティ状況３５６には、沢登り、クライミング、山スキー等の各登山ルートで体験可能なアクティビティについての情報が格納される。
エリア案内情報は、指導員または警察署員、および山小屋が登録、変更、および削除する。また、エリア案内情報は、利用者情報テーブル２６０に登録されている全ての利用者が検索（閲覧）することができる。
なお、エリア案内情報テーブル３５０はエリア案内情報記憶手段の一例である。
【００２４】
次に、図２に示した入山者行動履歴管理装置１４０の各部の機能について説明する。
利用者インタフェース部２１０は、携帯端末１１０または端末１２０に表示させる各種の入力画面を生成し、各利用者によってその入力画面上で入力された情報を受信する。例えば、利用者インタフェース部２１０は、携帯端末１１０および端末１２０から口コミや登山届を受信する。また、利用者インタフェース部２１０は、ＧＰＳ機能を有する携帯端末１１０から情報を受信するときには、同時にその携帯端末１１０が情報を送信した時刻と位置とを含む位置情報を受信する。
また、利用者インタフェース部２１０は、各利用者によって入力されるメールアドレスとパスワードによりその利用者を認証するとともにその利用者が属する利用者区分２６１を識別する。
更に、利用者インタフェース部２１０は、利用者情報テーブル２６０に利用者情報を登録および更新する。
なお、利用者インタフェース部２１０は、本発明の位置情報受信手段と口コミ受信手段の一例である。
【００２５】
利用者インタフェース部２１０が携帯端末１１０または端末１２０から入山者の行動予定を受信すると、データベース登録・更新部２２０は、その入山者の入山者情報を入山者情報テーブル３００に登録するか、または入山者情報テーブル３００に格納されているその入山者の入山者情報を更新する。また、利用者インタフェース部２１０が携帯端末１１０から位置情報を受信すると、データベース登録・更新部２２０は、その位置情報に含まれる時刻と位置とを入山者情報テーブル３００に記憶されている入山者情報の行動履歴３０６に蓄積する。
利用者インタフェース部２１０が携帯端末１１０または端末１２０から登山届を受信すると、データベース登録・更新部２２０は、その登山届を示す登山届情報を登山届情報テーブル３１０に登録するか、または登山届情報テーブル３１０に格納されている登山届情報を更新する。
利用者インタフェース部２１０が携帯端末１１０または端末１２０から口コミを受信すると、データベース登録・更新部２２０は、その口コミと、その口コミが受信された時刻および位置とを含む口コミ情報を作成し、口コミ情報テーブル３２０に蓄積する。
【００２６】
利用者インタフェース部２１０が携帯端末１１０または端末１２０から宿泊予約情報を受信すると、データベース登録・更新部２２０は、受信した情報を含む山小屋宿泊情報を山小屋宿泊情報テーブル３３０に登録するか、または山小屋宿泊情報テーブル３３０に格納されている山小屋宿泊情報を更新する。また、利用者インタフェース部２１０が携帯端末１１０または端末１２０から実際の宿泊状況を受信すると、データベース登録・更新部２２０は、受信した情報を含む山小屋宿泊情報を山小屋宿泊情報テーブル３３０に登録するか、または山小屋宿泊情報テーブル３３０に格納されている山小屋宿泊情報を更新する。
利用者インタフェース部２１０が携帯端末１１０または端末１２０から山小屋の周辺状況および／または混雑状況を受信すると、データベース登録・更新部２２０は、受信した情報を含む山小屋案内情報を山小屋案内情報テーブル３４０に登録するか、または山小屋案内情報テーブル３４０に格納されている山小屋案内情報を更新する。
利用者インタフェース部２１０が携帯端末１１０または端末１２０から山岳エリアに含まれる各ルートの天候、登山道状況、林道状況、およびアクティビティ状況のいずれかを受信すると、データベース登録・更新部２２０は、受信した情報を含むエリア案内情報をエリア案内情報テーブル３４５に登録するか、またはエリア案内情報テーブル３４５に格納されているエリア案内情報を更新する。
なお、データベース登録・更新部２２０は、本発明の行動履歴蓄積手段と口コミ情報蓄積手段と入山者情報登録手段の一例である。
【００２７】
データベース検索部２３０は、入山者を特定するための入山者特定情報（例えば、メールアドレス、名前、生年月日等）を含む行動履歴検索要求を携帯端末１１０または端末１２０から受信すると、行動履歴検索要求に含まれる入山者特定情報に基づいて入山者情報テーブル３００の入山者情報を検索して入山者特定情報で特定される入山者の行動履歴３０６を取得し、取得された当該行動履歴を携帯端末１１０または端末１２０に送信する。
行動履歴を受信した携帯端末１１０または端末１２０は、行動履歴をディスプレイに表示し、その行動履歴に含まれる入山者の時刻および／または位置が入力されるのを待つ。入山者の時刻および／または位置の指定を受け付けると、携帯端末１１０または端末１２０はその入山者の時刻および／または位置の指定を含む入山者関連情報検索要求を入山者行動履歴管理装置１４０に送信する。
データベース検索部２３０は、入山者関連情報検索要求を受信すると、入山者関連情報検索要求に含まれる時刻と位置に基づいて入山者情報テーブル３００と口コミ情報テーブル３２０を検索し、指定された時刻に近い時刻に指定された位置の近くにいる他の入山者を示す情報と、指定された時刻に近い時刻に指定された位置の近くで登録された口コミ情報とを取得し、取得した他の入山者を示す情報と口コミ情報とを携帯端末１１０または端末１２０に送信する。なお、行動履歴に含まれる入山者の時刻が指定されるとその時刻における入山者の位置が定まり、行動履歴に含まれる入山者の位置が指定されるとその時刻に入山者がいた位置が定まる。このため、入山者関連情報検索要求には入山者の時刻と位置のいずれか一方が含まれていればよい。
また、データベース検索部２３０は、携帯端末１１０または端末１２０から山小屋案内情報および／またはエリア案内情報に含まれる情報を要求されると、山小屋案内情報テーブル３４０および／またはエリア案内情報テーブル３５０から要求された情報を検索して取得し、取得した情報を携帯端末１１０または端末１２０に送信する。
なお、データベース検索部２３０は、本発明の入山者行動履歴送信手段と入山者関連情報送信手段と案内情報検索手段の一例である。
【００２８】
下山確認部２５０は、所定の時間間隔（例えば、１時間間隔）で、入山者情報テーブル３００の行動予定３０５と行動履歴３０６を検索する。そして、下山確認部２５０は、入山者情報テーブル３００に格納されている入山者情報に含まれる行動予定３０５に記録されている下山予定時刻（目的が下山に設定されている時刻）を経過しても行動履歴３０６の状態に下山が設定されない（すなわち、行動履歴３０６の状態が下山中である）入山者情報を検出した場合に、下山しているか否かを問い合わせる電子メール（下山確認メッセージ）を利用者情報テーブル２６０の入山者のメールアドレス２６３（入山者の所有する携帯端末１１０）に送信する。
なお、下山確認部２５０は本発明の下山確認メッセージ送信手段の一例である。
【００２９】
事前予測部２５０は、所定の時間間隔（例えば、１時間間隔）で、入山者情報テーブル３００に格納されている入山者情報に含まれる行動予定３０５および行動履歴３０６と、山小屋宿泊情報テーブル３３０に格納されている山小屋宿泊情報に含まれる宿泊予約情報３３４および実際の宿泊状況３３５等に基づいて、入山中の各入山者について危険な状況に陥る可能性の有無を判定する。そして、事前予測部２５０は、その可能性がある入山者がいると判定した場合、入山者情報テーブル３００の行動履歴３０６等に基づいて管轄エリアを求め、所定の山岳関係者（例えば、利用者情報テーブル２６０の管轄エリア２６７によって特定される指導員または警察署員、山小屋、および捜索者）のメールアドレス２６３（携帯端末１１０または端末１２０）に、危険な状況に陥る可能性のある入山者に関する警告メール（警告メッセージ）を送信する。
なお、事前予測部２５０は本発明の事前予測手段の一例である。
【００３０】
以下では、入山者行動履歴管理システム１６０の具体的な処理について説明する。
【００３１】
（計画時）
図１０は、入山予定者が、登山の計画時に、入山者行動履歴管理システム１６０から山岳エリアの情報を取得する処理の一例を示す。
まず、入山予定者は、入山者行動履歴管理システム１６０を利用するために、携帯端末１１０または端末１２０（以下、携帯端末１１０等という。）を用いてメールアドレスとパスワードと名前と生年月日とを入力し、入山者行動履歴管理システム１６０に利用者登録を行う。その際、登山パーティが代表者と同行メンバーで構成される場合には、同行メンバーも利用者登録するのが望ましい。
次に、入山予定者は、メールアドレスとパスワードを入力して入山者行動履歴管理システム１６０にログインし、行動予定を登録する。行動予定は、入山予定のエリアと、入山予定の日時と場所、下山予定の日時と場所、および通過地点の日時と場所を含む。
そして、入山予定者が携帯端末１１０等から山岳エリアの情報を要求すると、入山者行動履歴管理システム１６０は、入山者行動履歴ＤＢ１５０を検索して、入山者の行動予定の内容にマッチした山岳エリアの情報を取得し、携帯端末１１０等に送信する。
これ以降、入山者行動履歴管理システム１６０は、入山予定者（入山者）が携帯端末１１０から入山者行動履歴管理システム１６０にアクセスした日時と座標とを入山者情報テーブル３００の行動履歴３０６に蓄積していく。
【００３２】
図１１は、入山予定者が、登山の計画時に、利用者情報テーブル２６０に利用者情報を登録し、入山者情報テーブル３００に行動予定を登録し、登山する山岳エリアの情報を取得する処理の一例のフローチャートである。
入山予定者は、携帯端末１１０等を用いてメールアドレスとパスワードと名前と生年月日とを入力し、利用者登録を行う。携帯端末１１０等は、これらを示す情報を入山者行動履歴管理装置１４０に送信する（Ｓ１０１）。入山者行動履歴管理装置１４０の利用者インタフェース部２１０は、ＩＤ２６２を生成し、利用者情報テーブル２６０に利用者情報を登録する（Ｓ１１１）。
次に、入山予定者は、携帯端末１１０等からメールアドレスとパスワードを入力し、入山者行動履歴管理装置１４０にログインする。入山者行動履歴管理装置１４０の利用者インタフェース部２１０は、メールアドレスとパスワードが利用者情報テーブル２６０に登録されているか否か判別することにより、入山予定者を認証する（Ｓ１１２）。認証された入山予定者は、後述するように、携帯端末１１０等の入力画面上で入山中の行動予定を入力する。携帯端末１１０等は行動予定を入山者行動履歴管理装置１４０に送信する（Ｓ１０２）。入山者行動履歴管理装置１４０のデータベース登録・更新部２２０は、受信した行動予定に基づいて入山予定者のＩＤ２６２と一致するＩＤ３０１を有する入山者情報を作成し、入山者情報テーブル３００に登録する（Ｓ１１３）。
入山予定者が、登山する山岳エリアの情報を要求する（Ｓ１０３）と、入山者行動履歴管理装置１４０のデータベース検索部２３０は、入山者情報テーブル３００の行動予定３０５の内容にマッチした情報を山小屋案内情報テーブル３４０とエリア案内情報テーブル３５０から検索し（Ｓ１１４）、入山予定者の使用している携帯端末１１０等に送信する（Ｓ１１５）。携帯端末１１０等は、受信した情報を表示する（Ｓ１０４）。
【００３３】
（登山口）
図１２は、登山口において、登山届を入山者行動履歴管理システム１６０に登録する処理の一例を示す。
登山口には、指導員が居て登山届を直接指導員に提出する場合と、無人の登山口ポストに投函する場合、そして、事前にメールや封筒で管轄の警察署に提出する場合がある。
登山届を受け取った指導員や所轄警察署の職員は、その内容を登山口もしくはそれぞれの事務所にて端末１２０等から入山者行動履歴管理システム１６０に登録する。登録内容は、登山届の受け取り場所、受け取り時刻、名前、年齢、住所、緊急連絡先、同行メンバー、アクティビティの目的、行動予定、装備、食料、非常時エスケープルート、ほか、登山届の記載事項全てと登山届のイメージデータ、そして、本人と応対があり、応対者が気になった印象などもあればメモとして記録する。
なお、登山届を登録するとき、指導員や警察署員は、入山者情報テーブル３００の行動予定３０５を取得して、登山届の内容と矛盾している場合には、入山者に訂正を依頼してもよい。
【００３４】
（入山中）
図１３は、入山者行動履歴管理システム１６０に口コミ情報と山小屋の情報を登録する処理の一例を示す。
山岳エリアでは、体調の悪そうな人や若干危険そうな状態にある人を見かけることが時々ある。しかし、山行中は、心配でありながらも長時間側におられず、先の山小屋に報告することぐらいしかできない。携帯端末１１０を保持する入山者は、入山者行動履歴管理システム１６０にアクセスし、このような人について容易に口コミを口コミ情報テーブル３２０に登録することができる。
また、近年、入山中に山小屋にてインターネットに接続されたＰＣ（Ｐｅｒｓｏｎａｌ  Ｃｏｍｐｕｔｅｒ）をよく見るようになった。そのような山小屋からは、ＰＣを端末１２０として使用することにより、山小屋の番人等が入山者行動履歴管理システム１６０に宿泊予約情報と実際に到着した宿泊者の情報（宿泊状況）を山小屋宿泊情報テーブル３３０に登録することができる。
また、山小屋の番人等は、山小屋の近辺の天候、登山道、水場、積雪、沢の水量、花、野鳥等の周辺状況、および小屋の営業情報や混雑状況等の混雑状況を端末１２０等によりリアルタイムで入力することができる。入山者行動履歴管理システム１６０はそれらの情報を受信すると、山小屋案内情報テーブル３４０に登録する。入山者はこれらのリアルタイムな情報を得るために、携帯端末１１０に電波が入る場所を探し、積極的に入山者行動履歴管理システム１６０を利用することが期待できる。携帯端末１１０が入山者行動履歴管理装置１４０にアクセスする毎に入山者情報テーブル３００の行動履歴３０６に日時と座標が格納されるため、これにより入山者の行動履歴をより詳細に収集することができる。
入山者自身も、携帯端末１１０や山小屋の端末１２０から、変更した入山予定の経路や時刻を入山者情報テーブル３００の行動予定３０５に登録することができ、これにより入山者の行動予定が最適化される。
【００３５】
（下山確認）
図１４は、入山者に送信される下山確認メッセージの一例を示す。
入山者行動履歴管理システム１６０は、入山者情報テーブル３００の行動予定３０５に記録されている入山予定日時が過ぎても行動履歴３０６の状態が下山済となっていない入山者に、下山確認メッセージ（例えば、電子メール）を送信する。この下山確認メッセージを見た入山者が入山者行動履歴管理システム１６０にログインして行動履歴３０６の状態を下山済に変更することにより、下山できていない可能性のある入山者を絞り込むことができる。
【００３６】
図１５は、下山確認メッセージ送信処理の一例のフローチャートである。
入山者行動履歴管理装置１４０の下山確認部２４０は、所定の時間間隔（例えば、１時間間隔）で入山者情報テーブル３００に登録されている全ての入山者情報について行動履歴３０６の状態が入山中であるか否かを判別する（Ｓ２０１）。次に、下山確認部２４０は、行動履歴３０６の状態が入山中である（Ｓ２０１：Ｙｅｓ）入山者情報について、その行動予定３０５の目的が下山である日時と現在の時刻を比較し、下山予定の日時を過ぎているか否かを判別する（Ｓ２０２）。そして、下山確認部２４０は、下山予定の日時を過ぎている（Ｓ２０２：Ｙｅｓ）入山者情報について、そのメールアドレス３０２に登録されているメールアドレスに下山確認メッセージを送信する（Ｓ２０３）。
なお、行動履歴３０６の状態は入山者が設定するため、実際は入山しているにもかかわらず、入山前と設定されている場合が有り得る。このような場合に対処するため、下山確認部２４０は、行動予定３０５の目的が下山である日時に、行動履歴３０６の状態が入山前であっても行動履歴３０６の座標が山岳エリアの中のものである入山者情報について、下山確認メッセージを送信することとしてもよい。
【００３７】
（行方不明者の捜索）
図１６は、行方不明者の捜索に関わる捜索者が行方不明者の行動履歴を確認する画面の一例を示す。
行方不明者の捜査に関わる捜索者は、入山者行動履歴管理システム１６０を用いて事務所の端末１２０等に行方不明者の行動履歴を表示させることができる。
捜索者は、行方不明者を特定できる情報として、例えば名前と生年月日を端末１２０等に入力する。端末１２０等が入山者行動履歴管理装置１４０に入力された名前と生年月日を送信すると、入山者行動履歴管理装置１４０は、名前と生年月日に基づいて入山者情報テーブル３００と山小屋宿泊情報テーブル３３０とを検索して山小屋への宿泊を含む行方不明者の行動履歴を取得し、その行動履歴を示す行動履歴情報を端末１２０等に送信する。端末１２０は受信した行動履歴情報を画面に表示する。なお、通常、山小屋宿泊情報テーブル３３０の実際の宿泊状況３３５には宿泊者の名前と生年月日が含まれている。
画面の左半分４１０には、行方不明者の時刻毎の位置、登山口の通過、山小屋のチェックイン、チェックアウトが地図上に表示される。右半分４２０には、各時刻における行方不明者の位置の場所名がリストアップされる。なお、ログ情報中に記載されている「情報取得」は端末１２０から送信される位置情報から求められた情報であることを意味する。また、「入山確認（登山口）」はその時刻に入山者が携帯端末１１０または端末１２０を用いて行動履歴３０６の状態を入山前から入山中に変化させたことを意味する。「宿泊情報（山小屋）」は山小屋宿泊情報テーブル３３０の実際の宿泊状況３３５から検索された情報であることを意味する。
この画面により、捜査に関わる者は、よりはっきりと行方不明者の足取りを知ることができる。
【００３８】
図１７は、行方不明者の捜索に関わる捜索者が口コミ情報と目撃の可能性のある他の入山者の絞り込みを行う画面の一例を示す。
行方不明者の捜査に関わる捜索者は、入山者行動履歴管理システム１６０を用いて、捜索者が指定した日時における行方不明者に関する口コミ情報と目撃の可能性のある他の入山者とを事務所の端末１２０等に表示させることができる。
捜索者が図１６に示す行方不明者の行動履歴の画面上で行方不明者の行動履歴を調べた後に、例えばその行動履歴中の日時を端末１２０等で指定すると、入山者行動履歴管理装置１４０は、入山者情報テーブル３００の行動履歴３０６からその日時における行方不明者の座標を取得し、指定された日時と取得した座標に基づいて口コミ情報テーブル３２０と入山者情報テーブル３００を検索する。この検索により、入山者行動履歴管理装置１４０は、指定された日時に近い日時に取得した座標の近くで登録された口コミ情報（以下、関連口コミ情報という。）を取得し、指定された日時に近い日時に取得された座標の近くにいた入山者（行方不明者を目撃した可能性のある入山者）を特定する。そして、入山者行動履歴管理装置１４０は、関連口コミ情報と目撃の可能性のある他の入山者を示す情報を作成し、その情報を端末１２０に送信する。端末１２０は、関連口コミ情報と目撃の可能性のある他の入山者を示す情報を画面に表示する。
この画面の左半分４１１には、関連口コミ情報が登録された位置と目撃の可能性のある他の入山者の位置が地図上に表示される。また、画面の右半分４２１には、目撃の可能性のある他の入山者の名前と口コミ情報を登録した入山者の名前とがリストアップされる。なお、ログ情報中に記載されている「情報取得」はその左に表示されている名前が入山者情報テーブル３００から検索された他の入山者３０３の名前であることを意味し、「口コミ」はその左に表示されている名前が口コミ情報テーブル３２０から検索された名前３２２であることを意味する。例えば、図１７は、図１６の画面で調べた行方不明者の最終消息の日時「８月４日５時３２分」を捜索者が指定したときに表示される画面の例である。
この画面により、捜査者は、行方不明者に関わる関連口コミ情報と、目撃の可能性のある入山者にすばやくアプローチできる。
【００３９】
図１８は、入山者行動履歴管理システム１６０を用いた捜索処理の一例のフローチャートである。
捜索者が端末１２０に行方不明者の名前と生年月日を入力すると、端末１２０は入山者行動履歴管理装置１４０に行方不明者の名前と生年月日を送信する（Ｓ３０１）。行動履歴管理装置１４０のデータベース検索部２３０は、受信した名前と生年月日に基づいて入山者情報テーブル３００と山小屋宿泊情報テーブル３３０とを検索して（Ｓ３１１）、山小屋への宿泊を含む行方不明者の行動履歴を取得する（Ｓ３１２）。そして、データベース検索部２３０は、行方不明者の行動履歴を示す行動履歴情報を端末１２０に送信する（Ｓ３１３）。端末１２０は、行方不明者の行動履歴情報を表示する（Ｓ３０２）。
捜索者が行方不明者の行動履歴に含まれる日時を端末１２０で指定すると、端末１２０は入山者行動履歴管理装置１４０にその日時を送信する（Ｓ３０３）。データベース検索部２３０は、入山者情報テーブル３００の行動履歴３０６から受信した日時における行方不明者の座標を取得する（Ｓ３１４）。そして、データベース検索部２３０は、受信した日時と取得した座標で口コミ情報テーブル３２０を検索し、関連口コミ情報を取得する（Ｓ３１５）。次に、データベース検索部２３０は、指定された日時と取得した座標で入山者情報テーブル３００を検索し、行方不明者を目撃した可能性のある入山者を特定する（Ｓ３１６）。そして、データベース検索部２３０は、関連口コミ情報と目撃の可能性のある他の入山者を示す情報を作成し（Ｓ３１７）、その情報を端末１２０に送信する（Ｓ３１８）。端末１２０は、関連口コミ情報と目撃の可能性のある他の入山者を示す情報を画面に表示する（Ｓ３０４）。
【００４０】
（事前予測）
図１９は、危険な状況に陥る可能性のある入山者を事前に予測するための条件の一例を示す。
入山者行動履歴管理装置１４０の事前予測部２５０は、所定の時間間隔（例えば、１時間間隔）で入山中の各入山者について危険な状況に陥る可能性の有無を判定する。
例えば、図１９に列挙される条件のいずれかに合致する入山中の入山者は、危険な状況に陥る可能性のある入山者である。
図１９の条件Ａは、「山小屋の到着予定時刻になっても入山者が到着しない、かつ、他の山小屋にも宿泊していない」である。この場合、山小屋に至る道中でなんらかのトラブルが発生している可能性が考えられる。事前予測部２５０は、入山者情報テーブル３００の行動履歴３０６と山小屋宿泊情報テーブル３３０の実際の宿泊状況３３５とに基づいて条件Ａに合致する入山者の有無を判定する。
図１９の条件Ｂは、「下山予定時刻を過ぎても下山していない」である。この場合、下山する道中にてなんらかのトラブルに遭遇している可能性がある。事前予測部２５０は、入山者情報テーブル３００の行動予定３０５と行動履歴３０６とに基づいて条件Ｂに合致する入山者の有無を判定する。
図１９の条件Ｃは、「行動履歴が行動予定よりも大きく遅れている」である。この場合、道中で体力を消耗しきっている可能性もあり、注意する必要がある。事前予測部２５０は、入山者情報テーブル３００の行動予定３０５と行動履歴３０６とに基づいて条件Ｃに合致する入山者の有無を判定する。
図１９の条件Ｄは、「悪天候時に危険エリアに入山している」である。このような状態にある人は、エキスパートの可能性も高いが、予期せずそのようなシーンに遭遇してしまいトラブルとなる可能性も考えられる。事前予測部２５０は、入山者情報テーブル３００の行動履歴３０６と山小屋案内テーブル３４０の周辺状況３４４とエリア案内情報テーブル３５０の天候３５３および登山道状況３５４とに基づいて条件Ｄに合致する入山者の有無を判定する。
【００４１】
そして、事前予測部２５０は、危険な状況に陥る可能性のある入山者がいると判定した場合、入山者情報テーブル３００の行動履歴３０６等に基づいて管轄エリアを求め、利用者情報テーブル２６０の管轄エリア２６７によって特定される指導員または警察署員、山小屋、および捜索者のメールアドレス２６３に警告メールを送信する。
図１９に列挙したケースは一例であるが、情報をシステム化し大量の情報を集め、それらに注意すべき条件を設定し自動的にマーキングすることで、事前に発生しそうなトラブルの予測に役立てることができる。
【００４２】
（行動予定の入力）
図２０は、入山者が入山前または入山中に行動予定を入力する画面の一例を示す。
入山者は、携帯端末１１０、移動中のカフェやビジターセンター、入山中の山小屋の端末１２０（たとえば、パソコン）から行動予定を入力する。
カレンダー上で日程をクリックまたはタップすると、日程を入力できる。ここでは、7/26から7/28の３日間の山行を登録している。次に、地図上でエリアをクリックまたはタップすることで、入山する山域を選択できる。ここでは、北アルプスの中の黒部五郎界隈の山域を選択している。入山者行動履歴管理装置１４０の利用者インタフェース部２１０は、図示しない経路データベースから経路情報を取得して図２０の画面を表示する。
さらに、設定されたエリアの四角形の中を、クリックまたはタップして、表示された候補の中から選択することにより、該当する日時付近に立ち寄る予定のポイントを追加できる。図２０では、7/26の早朝に折立、7/26の夜に薬師平、7/28の夜に新穂高の３つのポイントを追加入力している。また、エリアの四角形上をドラッグまたはスワイプすることにより、時間帯でのポイントの登録ができる。図２０では、7/27の午前中に赤木沢を登録している。
目的（アクティビティ）をクリックまたはタップすることで表示された候補の中から選択することにより、入山の目的を登録できる。デフォルトはピークハントであるが、クライミング、きのこ・山菜採取、バードウォッチング、沢登り、山スキーなどを指定することができる。図２０では、３日間にわたりピークハントを登録し、さらに7/27の午前に沢登り、7/28の午前にクライミングを登録している。
行動予定の入力が終了すると、入山者行動履歴管理装置１４０のデータベース登録・更新部２２０は、行動予定を入山者情報テーブル３００に登録または更新する。
【００４３】
図２１は、行動予定入力画面の別の例を示す。
図２１では、5/1から5/2にわたり北アルプスの剣エリアに入山し、ポイントとして5/1の入山時の室道と5/1の宿泊予定の御前小屋を登録している。目的は、山スキーを登録している。
【００４４】
（山域情報の配信）
図２２は、入山者や入山予定者が携帯端末１１０により山域情報を受け取るための設定画面の一例を示す。
入山者行動履歴管理装置１４０の利用者インタフェース部２１０は、図２２の設定画面を携帯端末１１０または端末１２０に表示させる。図２２中のエリアは携帯端末１１０に配信されるエリアを示す情報であり、入山者情報テーブル３００の行動予定３０５に基づいて表示される。図２２の設定画面では、入山者や入山予定者により、入山予定日の５日前から入山まで、毎日９：００に山域情報の配信が依頼されており、内容は天気と登山道の状況と登山口へのアプローチ情報とすることが設定されている。また、入山中は、毎日５：３０に、天気と登山道の状況、アクティビティの情報を、毎日１３：３０には、天気と登山道の状況、山小屋の情報を配信することが設定されている。
入山者行動履歴管理装置１４０のデータベース検索部２３０は、図２２の設定画面により配信設定された情報を、設定された時間に、エリア案内情報テーブル３５０と山小屋案内情報テーブル３４０を検索して取得し、携帯端末１１０に配信する。携帯端末１１０は、情報を配信されると、図２３に示す配信画面を表示する。
【００４５】
なお、上述した実施形態では、携帯端末１１０は、入山者行動履歴管理装置１４０にアクセスするたびに入山者行動履歴管理装置１４０に位置情報を送信するとしたが、山岳エリアには電波を受信しにくい場所も存在する。このような場所では、所定の時間間隔でＧＰＳ機能により取得した位置情報を記憶しておき、電波が入る場所で入山者が携帯端末１１０から入山者行動履歴管理装置１４０にアクセスしたとき、または電波が入るタイミングで自動的に、携帯端末１１０が記憶されている位置情報をまとめて入山者行動履歴管理装置１４０に送信することとしてもよい。
【００４６】
また、上述した実施形態では、入山者情報テーブル３００における行動履歴３０６の状態について入山前から入山中、および入山中から下山済への変更は入山者が携帯端末１１０を用いて設定するとしたが、入山者行動履歴管理装置が行動履歴３０６の座標に基づいて、入山者の入山と下山を推測する手段を有し、その手段が入山前から入山中、および入山中から下山済への変更を設定することとしてもよい。
【００４７】
以上説明したように、本発明によれば、登山届や入山カウンタ、宿泊者カードのような従来の入山者情報と、入山者の携帯端末から発せられる位置情報とを一括してＩＴ（Ｉｎｆｏｒｍａｔｉｏｎ  Ｔｅｃｈｎｏｌｏｇｙ）システム上に蓄積して管理することができ、蓄積されている情報を山岳でのトラブルの予測およびトラブル発生時における遭難者の早期発見と救助や行方不明者の初期捜査に役立てることができる。
また、登山届は義務の意味あいが強く、入山者全てに登山届の提出を期待するのは難しいが、入山者行動履歴管理システム１６０に山小屋や自治体が、天候や気温や登山道の状況、水場、積雪、花、鳥、混雑情報など入山者が喜ぶ情報を登録し、入山者行動履歴管理システム１６０がそれらの情報を入山者に提供することにより、入山者に対し自発的に行動予定を入山者行動履歴管理システム１６０に登録し、入山者行動履歴管理システム１６０にアクセスすることを促すことができる。更に、入山者行動履歴管理システム１６０は入山者の行動予定に合った情報をピンポイントで配信することができる。
【００４８】
以上、本発明の実施形態について説明したが、設計上の都合やその他の要因によって必要となる様々な修正や組み合わせは、請求項に記載されている発明や発明の実施形態に記載されている具体例に対応する発明の範囲に含まれる。
【符号の説明】
【００４９】
１１０  携帯端末
１２０  端末
１３０  ネットワーク
１４０  入山者行動履歴管理装置
１５０  入山者行動履歴管理ＤＢ
１６０  入山者行動履歴管理システム
２１０  利用者インタフェース部
２２０  データベース登録・更新部
２３０  データベース検索部
２４０  下山確認部
２５０  事前予測部
２６０  ユーザ情報テーブル
３００  入山者情報テーブル
３１０  登山届情報テーブル
３２０  口コミ情報テーブル
３３０  山小屋宿泊情報テーブル
３４０  山小屋案内情報テーブル
３５０  エリア案内情報テーブル
【図１】
2015035008.tif 000003
【図２】
2015035008.tif 000004
【図３】
2015035008.tif 000005
【図４】
2015035008.tif 000006
【図５】
2015035008.tif 000007
【図６】
2015035008.tif 000008
【図７】
2015035008.tif 000009
【図８】
2015035008.tif 000010
【図９】
2015035008.tif 000011
【図１０】
2015035008.tif 000012
【図１１】
2015035008.tif 000013
【図１２】
2015035008.tif 000014
【図１３】
2015035008.tif 000015
【図１４】
2015035008.tif 000016
【図１５】
2015035008.tif 000017
【図１６】
2015035008.tif 000018
【図１７】
2015035008.tif 000019
【図１８】
2015035008.tif 000020
【図１９】
2015035008.tif 000021
【図２０】
2015035008.tif 000022
【図２１】
2015035008.tif 000023
【図２２】
2015035008.tif 000024
【図２３】
2015035008.tif 000025